(57)【要約】【課題】妊婦の体型変化に追従して常に良好なフィット感を与えながら、一見したところではマタニティ用とは気付かれずにスタイリッシュに着こなすことができるマタニティパンツを提供する。【解決手段】通常のパンツと略同様に着用時略ウエスト位置に上端を有するパンツ本体１と、その下端がパンツ本体の上端から所定寸法だけ低い位置で内側全周に亘って縫い付けられ且つ妊婦の腹部を覆うに十分な高さ寸法を有して上方に延長する略筒形の伸縮性リブニット部２とを有するマタニティパンツ。パンツ本体上端の内側にはリブニット部の縫い付け位置までの前記所定寸法に対応してリブニット部との間に溝部８が形成される。パンツ本体の上部側方位置にアジャスター５が設けられてウエストサイズ調節可能である。パンツ本体の上端は、ベルト通し３を有するベルトウエスト部４とされることが好ましい。【選択図】図１
0003125943.tif 000002
【実用新案登録請求の範囲】
【請求項１】
通常のパンツと略同様に着用時略ウエスト位置に上端を有するパンツ本体と、その下端がパンツ本体の上端から所定寸法だけ低い位置で内側全周に亘って縫い付けられ且つ妊婦の腹部を覆うに十分な高さ寸法を有して上方に延長する略筒形の伸縮性リブニット部とを有し、パンツ本体上端の内側にはリブニット部の縫い付け位置までの前記所定寸法に対応してリブニット部との間に溝部が形成され、さらに、パンツ本体の上部側方位置にアジャスターが設けられてウエストサイズ調節可能とされていることを特徴とするマタニティパンツ。
【請求項２】
パンツ本体の上端がベルト通しを設けたベルトウエスト部とされていることを特徴とする、請求項１記載のマタニティパンツ。
【考案の詳細な説明】
【技術分野】
【０００１】
本考案は、妊娠初期から臨月に至る間の妊婦の体型変化に追従して常に良好なフィット感を与えながら、一見したところではマタニティ用とは気付かれずにスタイリッシュに着こなすことができるパンツ形式のマタニティウエア、すなわちマタニティパンツに関する。
【背景技術】
【０００２】
従来のマタニティパンツは、下記特許文献１に記載のように、パンツ本体の上端前方部分に、着用時に妊婦の腹部を覆うに十分な大きさのリブニット部が設けられており、妊娠初期から臨月に至る間の妊婦の体型変化（腹囲の増大）に追従したフィット感を与えるようにしている。
【特許文献１】実用新案登録第３１１９１９３号公報
【考案の開示】
【考案が解決しようとする課題】
【０００３】
このような従来技術のマタニティパンツは、図４に示すように、リブニット部Ａが、大きくなった妊婦の腹部の全体を覆うように設けられており、したがって、その下端切り替えＢは腹部の下に位置することになる。このため、ショートトップ（着丈の短い上着）Ｃを着用すると、その下からリブニット部Ａが見えてしまい、一見してマタニティパンツであることが分かってしまう。また、このマタニティパンツではリブニット部Ａの上端がウエスト位置にあり、通常のパンツにあるようなベルトウエスト部が存在しないので、シャツやＴシャツなどのトップスを着用したときにその下端をパンツ上端内部に入れ込むような着方をすると、リブニット部Ａの全体が見えてしまう。
【０００４】
近年ではマタニティウエアにおいてもファッション性が重視されており、通常のパンツと同様に上記のような着こなしが可能なマタニティパンツに対する需要が大きくなっている。
【０００５】
したがって、本考案の課題は、妊娠初期から臨月に至る間の妊婦の体型変化に追従して常に良好なフィット感を与えながら、一見したところではマタニティ用とは気付かれずにスタイリッシュに着こなすことができる新規な構成のマタニティパンツを提供することにある。
【課題を解決するための手段】
【０００６】
この課題を解決するため、本考案によるマタニティパンツは、通常のパンツと略同様に着用時略ウエスト位置に上端を有するパンツ本体と、その下端がパンツ本体の上端から所定寸法だけ低い位置で内側全周に亘って縫い付けられ且つ妊婦の腹部を覆うに十分な高さ寸法を有して上方に延長する略筒形の伸縮性リブニット部とを有し、パンツ本体上端の内側にはリブニット部の縫い付け位置までの前記所定寸法に対応してリブニット部との間に溝部が形成され、さらに、パンツ本体の上部側方位置にアジャスターが設けられてウエストサイズ調節可能とされていることを特徴とする。
【０００７】
パンツ本体の上端はベルト通しを設けたベルトウエスト部とすることができる。
【考案の効果】
【０００８】
本考案のマタニティパンツは、パンツ本体のアジャスターとリブニット部とで妊婦の体型変化に応じたフィット性を確保すると同時に、パンツ本体を通常のパンツと同様に着用時略ウエスト位置に上端を有するものとしているので、ショートトップを着用したときにリブニット部が見えず、マタニティパンツでありながらもスタイリッシュな着こなしが可能である。
【０００９】
また、リブニット部はパンツ本体内側の低い位置で縫い付けられているので、パンツ本体上端との間に溝部が形成され、この溝部にシャツやＴシャツなどのトップスの下端を折り込むことも可能である。
【００１０】
さらに、パンツ本体の上端をベルト通しを設けたベルトウエスト部とすることにより、通常の（マタニティ用ではない）パンツをはいているように見せかける効果がより大きくなる。
【考案を実施するための最良の形態】
【００１１】
以下に本考案によるマタニティパンツの好適な一実施形態について添付図面を参照して詳述する。この実施形態はジーンズ形式のマタニティパンツに関し、パンツ本体１と、伸縮性リブニット部２とを有する。
【００１２】
パンツ本体１は、ストレッチデニムなどの生地で縫製され、一見して通常のパンツと略同様の外見を有している。この実施形態では、着用時略ウエスト位置に、ベルト通し３を備えたベルトウエスト部４を有する。ベルトウエスト部４の幅Ｗは３〜４ｃｍ程度と比較的広くすることで、妊婦の腹囲変化への対応を容易にする。
【００１３】
パンツ本体１の両サイドにはアジャスター５，５が設けられており、妊婦の腹囲変化に応じたウエストサイズ調節を可能にしている。アジャスター５，５としてはウエストサイズ調節を可能にするものであればいかなるタイプのものを用いても良いが、この実施形態ではスライダーを用いた公知のタイプが使用されている。すなわち、図２に示すように、パンツ本体１の上端ウエスト部を、前方のベルトウエスト部４と、後方のゴムウエスト部９（後述）とに二分割して構成し、これらベルトウエスト部４とゴムウエスト部９とを両サイドにおいて所定領域に亘って重なり合わせ、この重なり合った部分において、ゴムウエスト部９の両端外側に帯片６を縫い付け固定すると共に、この帯片６に対して移動可能なスライダー７をベルトウエスト部４の両端内側に縫い付けて固定する。スライダー７は帯片６の長さ方向における任意位置において帯片6の突起６ａと係合して不動にロックされるが、上下のプッシュボタン７ａを押し込むことによってロックが解除され、帯片６に対する相対位置を変えることができ、これによりウエストサイズ調節を可能にしている。図２においてスライダー７を右方向に移動させるとウエストサイズが大きくなるように調節され、左方向に移動させるとウエストサイズが小さくなるように調節される。
【００１４】
リブニット部２は、例えば綿９５％にポリウレタン５％を配合した伸縮性に優れた生地で形成されている。リブニット部２の下端は、パンツ本体１の上端内側から前記ウエスト幅Ｗに相当する長さＨだけ低い位置で全周に亘って縫い付けられており、この位置から妊婦の腹部を覆うに十分な高さ寸法を有する位置まで上方に延長しており、体型変化の激しい妊婦の腹部回りを常に安定させながらカバーする。リブニット部２は上記のような独特の手法でパンツ本体１に縫い付けられているため、パンツ本体１の上端部（ウエスト部）とリブニット部２の下端部との間には前記所定寸法Ｈに対応する幅の溝部８が形成される。
【００１５】
このマタニティパンツは上記のように構成されているため、ショートトップを着用した場合でもリブニット部２が見えず、通常のパンツと同様にスタイリッシュに着こなすことができる。また、リブニット部２が見えてしまっても、パンツ本体１の内側の低い位置に縫い付けられているのでキャミソールなどの着衣を着ているように見せかけることができるので、マタニティパンツであることを見破られにくい。さらには、リブニット部２をパンツ本体１の内側に完全に折り込んでしまえば、通常のパンツと略同様の外観であるパンツ本体１のみが見えることになるので、特に妊娠初期においては、このような着用方法とすることにより、内部に折り込まれたリブニット部２で腹部を保護および保温しながらファッションを楽しむことも可能である。
【００１６】
また、パンツ本体１の上端部（ウエスト部）とリブニット部２の下端部との間に形成される溝部８を利用して、シャツやＴシャツなどのトップスの下端を折り込むことができ、多様なマタニティファッションに対応することができる。
【００１７】
なお、パンツ本体１の後方ゴムウエスト部は、前記特許文献１記載のように、左右両脇にゴムシャーリングを設けると共に中央には広幅ゴム６を配置して構成することが好ましい。ゴムシャーリングはリブニット部２と共に妊婦の腹囲変化に追従してフィット感のあるサイズ調節作用を果たすと共に、着用時の微妙な動きに対応してウエストの可動性を高める。広幅ゴムはゴムシャーリングより伸縮率の小さな広幅帯状のゴム板からなり、着用時に背骨付近に当たってウエスト位置に安定して固定されるため、腹部を締め付けることなしに後ろの部分をずり落ちにくくしていると共に、股下がぴったり合ったジャストフィットとなって美脚効果が発揮される。
【図面の簡単な説明】
【００１８】
【図１】本考案の一実施形態に係るマタニティパンツの正面図である。
【図２】同マタニティパンツのアジャスター部分を上から見た拡大断面図である。
【図３】同マタニティパンツのパンツ本体とリブニット部との位置関係およびこれらの間に形成される溝部を示す拡大断面図である。
【図４】従来のマタニティパンツの上部側面図である。
【符号の説明】
【００１９】
１  パンツ本体
２  リブニット部
３  ベルト通し
４  ベルトウエスト部
５  アジャスター
６  帯片
６ａ  突起
７  スライダー
７ａ  プッシュボタン
８  溝部
９  ゴムウエスト部
【図１】
0003125943.tif 000003
【図２】
0003125943.tif 000004
【図３】
0003125943.tif 000005
【図４】
0003125943.tif 000006